(57)【要約】      （修正有）【課題】狭い空間でより高い接続性能を実現するカメラモジュールコネクタを提供する。【解決手段】底部に複数の固定柱を有する本体と、該本体内に設けられた若干の接触端子と、前記本体外周に係着された２つの対向側辺にそれぞれ２つのクランプ部を有する遮蔽ハウジングとを含み、前記本体はその中間横板の側縁にそれぞれ上、下方向に垂直に上側壁と下側壁が延伸され、且つ前記中間横板と上側壁の間にカメラモジュールを入れる収容空間を形成し、下側壁との間に中空の空気対流空間を形成し、該空気対流空間下部周囲にそれぞれ接触端子よりさらに外側に突出した矩形ガード部が設けられる。有益な効果は、長距離取付けがさらに確実で、且つ接触端子は圧力を受けて変形しにくく、前記カメラモジュールコネクタは単独でカメラモジュールを２つのプリント回路基板の間に固着することもでき、固定構造部品とともにカメラモジュールを取り付けることもできる。【選択図】図３
0003174717.tif 000002
【実用新案登録請求の範囲】
【請求項１】
カメラモジュールを長い間隔を置いてプリント回路基板上に取り付けるために用いられるカメラモジュールコネクタにおいて、
複数の固定柱を有する本体と、前記本体内に設けられた若干の接触端子と、前記本体外周に係着された遮蔽ハウジングとを含み、
前記本体は中間横板と、前記中間横板側縁からそれぞれ上下方向に垂直に延伸し、一体形成された上側壁と下側壁を含み、前記中間横板と上側壁の間に前記カメラモジュールの少なくとも一部を収容する収容空間を形成し、下側壁との間に中空の空気対流空間を形成し、
前記本体の該空気対流空間の下部周囲にそれぞれ接触端子よりさらに外側に突出した矩形ガード部が設けられることを特徴とするカメラモジュールコネクタ。
【請求項２】
前記本体は長幅方向が等しい直方体であり、前記固定柱は好ましくは３つ設けられ、且つ前記本体底部周囲の角部に配置されることを特徴とする請求項１に記載のカメラモジュールコネクタ。
【請求項３】
前記遮蔽ハウジングの少なくとも１つの対向側辺にそれぞれ他の固定構造部品と係着することによってカメラモジュールを固定するために用いられる２つのクランプ部が設けられ、前記クランプ部は突起又は凹部であることを特徴とする請求項１又は２に記載のカメラモジュールコネクタ。
【請求項４】
前記本体の中間横板に前記接触端子弾性変形部を受容する受容凹溝が設けられ、前記本体の下側壁内面に前記接触端子固着部によって係着収容された収容溝が設けられ、前記下側壁内面の収容溝と前記中間横板内の受容凹溝は連通し、前記接触端子の弾性変形部はカメラモジュールの挿入方向に沿って前記受容凹溝内で弾性的に変形することができることを特徴とする請求項１又は２に記載のカメラモジュールコネクタ。
【請求項５】
前記カメラモジュールコネクタの接触端子は、
プリント回路基板と電気接続するために用いられる、棒状の平板である溶接部、
前記溶接部の末端から垂直に折れ曲がって延伸してなり、接触端子の固着部として、前記下側壁内面の収容溝内に係着、固定される固着部、
後ろ向きに前記固着部の溶接部から遠く離れた末端部分を折り曲げて形成された通常のＵ字形になった第一折れ部と、第一折れ部において一定距離延伸し続けた後、２回目に後ろ向きに折れ曲がり、一定の傾斜距離を延伸し続けて形成された第二折れ部を含み、接触端子の弾性変形部として、中間横板の受容凹溝内に収容される弾性アーム部、
前記弾性アーム部の第二折れ部の末端から前記第一折れ部方向に向かって折れ曲がって形成され、前記接触部にカメラモジュールと電気接続する接点を有する接触部、
を含み、
前記カメラモジュールは前記カメラモジュールコネクタの収容空間に受容されることによって前記弾性アーム部を押し下げ、該弾性アーム部の第二折れ部は固着部に当接し、それによって弾性アーム部が下向きに湾曲変形しすぎることを制限することを特徴とする請求項４に記載のカメラモジュールコネクタ。
【請求項６】
前記カメラモジュールコネクタの横断面は正方形であり、
前記本体の１つの側壁の外表面の外側寄りの位置に上下貫通した内凹部を有し、前記遮蔽ハウジングの１つの側辺底部の前記内凹部に対応する位置に湾曲アームを有し、該湾曲アームは前記内凹部内に配置され、前記遮蔽ハウジングが前記本体に誤って取り付けられるのを防止することを特徴とする請求項１に記載のカメラモジュールコネクタ。
【請求項７】
前記遮蔽ハウジングは２つの対向側辺にそれぞれ底部から下へ向かって延伸する２つの挿脚部を有することを特徴とする請求項１に記載のカメラモジュールコネクタ。
【請求項８】
前記カメラモジュールコネクタの遮蔽ハウジング上の少なくとも１つの対向側辺に突起が配置され、
前記固定構造部品は中心に開口を設置した平板部と該平板部の少なくとも１つの対向する両側縁から同一方向に沿って垂直に延伸してなる延伸アームとを含み、前記延伸アーム上に前記突起に対応する嵌合口が設けられ、
カメラモジュールを前記カメラモジュールコネクタの収容空間に取り付けた後、前記固定構造部品は前記突起と前記嵌合口の嵌係によって固定され、上部からカメラモジュールを前記カメラモジュールコネクタ内で挟持することを特徴とする請求項１に記載のカメラモジュールコネクタ及びそれと結合使用する固定構造部品。
【考案の詳細な説明】
【技術分野】
【０００１】
本考案はモジュール取付用コネクタに関し、特に携帯電話、ゲーム機等のカメラモジュールを比較的長い間隔を置いて確実にプリント回路板上に取り付けるために用いられるコネクタに関する。
【背景技術】
【０００２】
携帯電話、ゲーム機等の電子機器は、通常コネクタによってカメラモジュールと携帯電話又はゲーム機の回路基板を一体として接続する必要があり、カメラモジュールが取得した画像信号を、該コネクタを介して携帯電話又はゲーム機の回路基板に伝送して関連処理を行うことができるようする。
【０００３】
小型化への発展要求に応えるため、カメラモジュールは非常に小さな部品になっている。このため、カメラモジュールをプリント回路基板から一定の高さだけ離れた位置に取り付けるには、新型の大きな高さを有するコネクタ（本明細書に記載のカメラモジュールコネクタはすべてコネクタと略称することができる）をもってこのような目的を達する必要があり、また、空間と構造の制限によって、該コネクタが占める空間をできるだけ少なくしなければならないので、コネクタの接触端子は十分に長く、且つ接触端子の弾性変形は高さ方向（又は鉛直方向という）のみで可動圧縮することが求められ、これはコネクタの接触端子とカメラモジュールの間の接触接続を不確実なものにし、前記カメラモジュールが前記コネクタに挿装された後、衝撃振動環境において電気接続は非常に切断されやすく、信頼性は低く、これはある程度実現しにくい。
【０００４】
本出願人が有する特許番号ＺＬ２０１０２０６８５６１７．９、授権公告日２０１１年１０月１２日の中国実用新案特許は上記問題を解決する技術考案を公開した（具体的内容は原文を参照のこと。ここでは詳しく述べない。）が、該考案の欠点は、占める空間をできるだけ少なくすることが求められ、また長い間隔を置いて相互接続を実現しなければならないため、該コネクタの高さは高いが、長幅方向は狭く、重心は製品の上部に集中し、以下の問題が発生するおそれがある。即ち、一方では前記コネクタを回路基板に貼装する過程において、重心が製品の上部にあるため安定を失って傾斜しやすく、他方では、該コネクタをプリント回路基板に溶接した後、プリント回路基板との間の固定力がすべて接触端子とプリント回路基板の間の溶接面に集中し、それに加えてトルクが比較的大きく、一定の外力の作用を受けた場合、接触端子とプリント回路基板の間の溶接面は緩みを発生するおそれがあり、品質リスクを招く。
【０００５】
さらに、上記考案のコネクタの接触端子の突出本体の外部露出部分は、梱包及び輸送過程において圧力を受けて変形しやすいのでコネクタの破損につながる。
【０００６】
また、さまざまな場面に用いられることからコネクタの使用方式も異なる。そのため、構造上の互換性を考慮して、コネクタの構造も一定の多用途性を有していなければならない。
【考案の概要】
【考案が解決しようとする課題】
【０００７】
これらの問題を解決するため、本考案の１つの目的は、狭い空間でより高い接続性能を実現するカメラモジュールコネクタを提供し、且つカメラモジュールコネクタの取り付けをさらに堅固にし、確実にすると同時に、接触端子も圧力によって変形しにくくすることにある。
【０００８】
本考案のもう１つの目的は、構造上の互換性を考慮し、カメラモジュールが異なる取り付け応用場面にコネクタを応用できるようにすることにある。
【課題を解決するための手段】
【０００９】
これに基づき、本考案の目的は、以下の手段によって実現される。カメラモジュールを長い間隔を置いてプリント回路基板上に取り付けるために用いられるカメラモジュールコネクタであって、複数の固定柱を有する本体と、前記本体内に設けられた若干の接触端子と、前記本体外周に係着された遮蔽ハウジングとを含み、前記本体は中間横板と、前記中間横板側縁からそれぞれ上、下方向に垂直に延伸し、一体形成された上側壁と下側壁を含み、前記中間横板と上側壁の間に前記カメラモジュールの少なくとも一部を収容する収容空間を形成し、下側壁との間に中空の空気対流空間を形成し、前記本体の該空気対流空間の下部周囲にそれぞれ接触端子よりさらに外側に突出した矩形ガード部が設けられる。
【００１０】
好ましくは、前記本体は長幅方向が等しい直方体であり、前記固定柱は好ましくは３つ設けられ、且つ前記本体底部周囲の角部に配置される。
【００１１】
好ましくは、前記遮蔽ハウジングの少なくとも１つの対向側辺にそれぞれ他の固定構造部品と係着されることによってカメラモジュールを固定するために用いられる２つのクランプ部が設けられ、前記クランプ部は突起又は凹部であってもよい。
【００１２】
好ましくは、前記本体の中間横板に前記接触端子弾性変形部を受容する受容凹溝が設けられ、前記本体の下側壁内面に前記接触端子固着部によって係着収容される収容溝が設けられ、前記下側壁内面の収容溝と前記中間横板内の受容凹溝は連通し、前記接触端子の弾性変形部はカメラモジュールの挿入方向に沿って前記受容凹溝内で弾性的に変形することができる。
【００１３】
好ましくは、前記カメラモジュールコネクタの接触端子は、プリント回路基板と電気接続するために用いられる、棒状の平板である溶接部、前記溶接部の末端から垂直に折れ曲がって延伸してなり、接触端子の固着部として、前記下側壁内面の収容溝内に係着、固定される固着部、後ろ向きに前記固着部の溶接部から遠く離れた末端部分を折り曲げて形成された通常のＵ字形になった第一折れ部と、第一折れ部において一定距離延伸し続けた後、２回目に後ろ向きに折れ曲がり、一定の傾斜距離を延伸し続けて形成された第二折れ部を含み、接触端子の弾性変形部として、中間横板の受容凹溝内に収容される弾性アーム部、前記弾性アーム部の第二折れ部の末端から前記第一折れ部方向に向かって折れ曲がって形成され、前記接触部にカメラモジュールと電気接続する接点を有する接触部、を含み、前記カメラモジュールは前記カメラモジュールコネクタの収容空間に受容されることによって前記弾性アーム部を押し下げ、該弾性アーム部の第二折れ部は固着部に当接し、それによって弾性アーム部が下向きに湾曲変形しすぎることを制限する。
【００１４】
好ましくは、前記カメラモジュールコネクタの横断面は正方形である。前記本体の１つの側壁外表面の外側寄りの位置に上下貫通した内凹部を有し、前記遮蔽ハウジングの１つの側辺底部の前記内凹部に対応する位置に湾曲アームを有し、該湾曲アームは前記内凹部内に配置され、前記遮蔽ハウジングが前記本体に誤って取り付けられるのを防止する。
【００１５】
好ましくは、前記遮蔽ハウジングは２つの対向側辺にそれぞれ底部から下向きに延伸する２つの挿脚部を有する。
【００１６】
好ましくは、上記のような構造の前記カメラモジュールコネクタ及びそれと結合使用する固定構造部品であって、前記カメラモジュールコネクタの遮蔽ハウジング上の少なくとも１つの対向側辺に突起が配置され、前記固定構造部品は中心に開口を設置した平板部と該平板部の少なくとも１つの対向する両側縁から同一方向に沿って垂直に延伸してなる延伸アームとを含み、前記延伸アーム上に前記突起に対応する嵌合口が設けられ、カメラモジュールを前記カメラモジュールコネクタの収容空間に取り付けた後、前記固定構造部品は前記突起と前記嵌合口の嵌係によって固定され、上部からカメラモジュールを前記カメラモジュールコネクタ内で挟持する。
【考案の効果】
【００１７】
本考案の有益な効果は、前記本体の該空気対流空間の下部周囲にそれぞれ接触端子より外向きに突出した矩形ガード部を設けるので、コネクタの重心を下に移動し、コネクタが重心の安定を失って傾斜することを防止できる。また矩形ガード部を本体の底部周囲に配置したため、コネクタの取り付けをより安定させ、矩形ガード部の本体より突出した部分は接触端子の外部露出部分よりさらに外に向いているため、接触端子すべてを矩形ガード部内で保護し、突発事故による変形状況の発生を防止する。
【００１８】
また、遮蔽ハウジングの少なくとも１つの対向側辺にそれぞれ他の固定構造部品と係着してカメラモジュールを固定するために用いられる２つのクランプ部を設けることによって、前記カメラモジュールコネクタが単独でカメラモジュールを２つのプリント回路基板の間に固着することもでき、固定構造部品とともにカメラモジュールを取り付けることもできるようにする。
【００１９】
以上をまとめると、本考案は機能が信頼できるものであり、且つ長距離取付がさらに堅固で確実であり、接触端子は圧力を受けて変形しにくく、さらに多くの場面における適用性を有する。
【図面の簡単な説明】
【００２０】
【図１】実施例のカメラモジュールコネクタとカメラモジュールを説明するための分解斜視図である。
【図２】実施例のカメラモジュールコネクタとカメラモジュールを説明するための斜視図である。
【図３】実施例のカメラモジュールコネクタを説明するための斜視図である。
【図４】実施例のカメラモジュールコネクタの別の角度から見た斜視図である。
【図５】実施例のカメラモジュールコネクタのさらに別の角度から見た斜視図である。
【図６】図５におけるカメラモジュールコネクタのＡ−Ａ方向の断面図である。
【図７】図１〜５中で示されたカメラモジュールコネクタの本体を説明するための斜視図である。
【図８】図７で示された本体の別の角度から見た斜視図である。
【図９】図７で示された本体のさらに別の角度から見た斜視図である。
【図１０】図１〜５中で示されたカメラモジュールコネクタの遮蔽ハウジングを説明するための斜視図である。
【図１１】図１０で示された遮蔽ハウジングの別の角度から見た斜視図である。
【図１２】図１〜５中で示されたカメラモジュールコネクタの接触端子を説明するための斜視図である。
【図１３】好ましい実施例で示された固定構造部品を説明するための斜視図である。
【図１４】図１３中で示された固定構造部品とカメラモジュール及びそのコネクタを組み立てた後の斜視図である。
【考案を実施するための形態】
【００２１】
以下に具体的な実施例及び図面を参照しながら該技術考案について詳細に記述する。図１〜図５に示すように、該実施例はカメラモジュールコネクタ１００を示し、カメラモジュール２００を比較的長い間隔を置いてプリント回路基板（図示しない）に取り付けるために用いられ、本体１０と、前記本体１０に設けられた若干の接触端子２０と、前記本体１０の外周に係着された遮蔽ハウジング３０とを含む。そのうち、図１と図２はカメラモジュール２００がコネクタ１００中に収容された位置関係を示している。
【００２２】
図６及び図７〜図９を参照すると、前記本体１０はほぼ直方体であり、正方形の横断面を有し、絶縁材料によって作られ、中間横板１１、前記中間横板１１側縁から上下２つの方向に向かって垂直に延伸し、一体形成された複数の上側壁１２と下側壁１３を含み、前記本体１０の底部周囲の少なくとも３つの角部に固定柱１１１を有し、該３つの固定柱１１１は同一直線上にないため、前記カメラモジュールコネクタ１００をプリント回路基板（「プリント基板」と略称する。図示しない。）に溶接接続する場合、その各電気接続点を正確に位置決めし、正確にプリント基板中の対応する接続点（図示しない）に接続することができる。
【００２３】
前記中間横板１１と前記上側壁１２の間に前記カメラモジュールの少なくとも一部を収容する収容空間１２０を形成し、前記下側壁１３との間に中空の空気対流空間１３０を形成する。この空気対流空間１３０は、コネクタ１００とプリント回路基板を溶接する際の放熱に役立つ。
【００２４】
前記空気対流空間１３０の下部周囲にそれぞれ矩形ガード部１３２が設けられているので、コネクタ１００の重心を下に移動して傾斜しにくくし、且つ取り付けをさらに安定させ、確実にしたことは述べておく価値がある。
【００２５】
接触端子２０を収容するため、前記中間横板１１はさらに複数の上下方向に沿って貫通する受容凹溝１１０を有し、該受容凹溝１１０は中間横板１１の収容空間１２０下面に位置する部分によって形成され、各受容凹溝１１０は狭い細長形状になり、上側壁１２の４つの側壁のうち１つの側からそれと対向する側へ向かって延伸し、且つ対向側壁の間の中間位置寄りのところで終了する。
【００２６】
前記下側壁１２の内壁に複数の収容溝１３１を設置し、該収容溝１３１は下から上の方向に中間横板上の受容凹溝１１０と連通する。
【００２７】
複数の前記受容凹溝１１０、収容溝１３１を平行に配列に沿って配置し、側壁の４つの側面の各側の方向をそれぞれに応じてそれと対向する側に向かって延伸させ、対向側壁の間の中間位置寄りのところで終了させ、中間横板中心について対称な受容凹溝セットを形成する。
【００２８】
図１０、図１１に示すように、前記遮蔽ハウジング３０は金属板材を複数回折り曲げて形成された４つの側辺３１を有する枠形構造であり、その中間が空洞であり、且つ上下両端が開口し、金属板材を折り曲げて取り囲んで接続された両端面が相接する箇所にスロット３２を形成する。１つの側辺３１の上部で空洞内に向かって折れ曲がって２つのアーム３３を形成し、それぞれ結合スロット３２の両側に位置し、前記上側壁１２内壁に設けられた２つの凹口１２２に配置され、スロット両側の側壁部分が両側に分離するのを防止する。
【００２９】
前記クランプ点１２３は前記結合孔３４上に係着され、前記遮蔽ハウジング３０を前記本体１０の外周に係着する。
【００３０】
前記遮蔽ハウジング３０の１つの側壁底部にさらに湾曲アーム３６が設けられ、該湾曲アーム３６は曲がり角付近が側壁底部から遮蔽ハウジングの空洞内に向かって折れ曲がって形成される。
【００３１】
前記本体１０の１つの側壁の外表面上に内凹部１４が設けられ、遮蔽ハウジング３０が本体１０に組み込まれる際、前記湾曲アーム３６がまず前記内凹部１４内にはめ込まれる。そうしなければ組み込むことができず、このようにして、前記遮蔽ハウジング３０が前記本体１０に誤って組み立てられるのを防止する。
【００３２】
本実施例において、前記遮蔽ハウジング３０の２つの対向側壁３１の下部は底部から下向きに挿脚部３５が延伸され、遮蔽ハウジング３０がプリント基板中に挿装される過程において初期位置決めをする役割を果たし、該挿脚部３５はプリント回路基板中に溶接され、遮蔽ハウジング３０をプリント回路基板と電気的に接続させる。
【００３３】
図１２に示すように、前記接触端子２０は、金属板材に対する折り曲げ等の工程を経て作られ、水平方向に沿って延伸する平板状の溶接部２１と、前記溶接部２１の末端から上向きに折れ曲がり、縦方向に延伸してなる固着部２２と、弾性アーム部２３と、接触部２４とを含み、前記弾性アーム部２３は以下のようにして形成される。即ち、前記固着部２２を後ろ向きに折り曲げ、固着部２２の溶接部２１から遠く離れた末端部分を折り曲げて通常のＵ字形の第一折れ部２３１にし、その後、第一折れ部２３１において一定距離を延伸し続けた後、２回目に後ろ向きに折れ曲がり、一定の傾斜距離を延伸し続けて第二折れ部２３２を形成し、前記第二折れ部２３２と水平方向は一定の傾角をなし、前記弾性アーム部２３の第二折れ部２３２の末端は引き続き前記第一折れ部２３１の方向に向かって折れ曲がり、前記接触部２４を形成する。
【００３４】
図５および図６を参照すると、前記接触端子２０は本体１０上に係着され、具体的には、前記固着部２２の対向側辺全体に２対の保持突起２２１が設けられ、固着部２２の対向側辺が下側壁１３の受容凹溝１３１に装着される場合、この２対の保持突起５６をしっかりとクランプして受容凹溝１３１の側辺部分で噛合させて固着部２２を本体１０に取り付け、このようにして、前記接触端子２０はその固着部２２によって本体１０に係着される。このとき、接触端子２０の弾性アーム部２３（つまり接触端子の弾性変形部）は中間横板上の受容凹溝１１０内に入れられ、前記接触端子の溶接部２１は前記空気対流自由空間１３０中から本体の下側壁１３底部の側面開口を貫通して本体１０の外に露出する。
【００３５】
説明しておく必要があるのは、上記溶接部２１は本体１０の底部に取り付けられ、且つ本体１０の周辺を超えて外に露出し、接触端子は厚さの薄い金属片材から作られているため、比較的脆弱であり、極めて変形しやすく、コネクタの梱包と輸送過程において、接触衝突によって変形しやすく、本体上の矩形ガード部１３２の外向きに突出した部分が前記溶接部２１の本体周辺を超えた外部露出部分より長く延伸しているため、溶接部２１の外部露出部分を矩形ガード部１３２内部に隠し、それによって接触端子溶接部の外部露出部分に発生する可能性のある変形を有効に防止する。
【００３６】
前記接触端子２０が本体１０に係着された後、前記接触端子の接触部２４の一部は収容空間１２０の底部から収容空間内に向かって突出し、該突出部分の頂端に接点２４１が設けられ、前記カメラモジュール２００が前記コネクタ１００の収容空間に挿装される過程において、該接点２４１はカメラモジュール２００の電気接続点と接触し、それによってコネクタ１００とカメラモジュール２００の間の電気接続を実現し、このとき、前記弾性壁部２３は弾性変形を起こし、接触部２４とカメラモジュール２００の電気接続点の相互接触に保持力を提供し、カメラモジュール２００がさらに挿入されるにつれて、前記弾性アーム部２３は圧力を受けて第二折れ部２３２を固着部２２に当接させ、このようにして、弾性アーム部２３がさらに下向きに湾曲するのを制限し、弾性アーム部２３がさらに塑性変形を起こすのを防止し、弾性アーム部２３の反発能力を保証し、それによってコネクタの接触の信頼性と使用寿命を向上させる。
【００３７】
カメラモジュールの電気接続点の数に応じて、所定数の複数の接触端子２０を前記本体受容凹溝１１０、１３１からなる受容凹溝セット中に配置し、それによって対応する電気接続の要求事項を満たす。
【００３８】
次に、本考案のコネクタの具体的な応用を略述する。図２に示すように、本実施例中に記載のコネクタ１００はプリント基板上に溶接され、カメラモジュール２００が規定位置に組み立てられた後、他のプリント基板又は他の装置によってカメラモジュール２００の上端面２０２に押圧され、カメラモジュールを確実に前記コネクタ１００中に取り付ける。
【００３９】
ここで注目すべきことは、前記コネクタ１００をさらにさまざまな応用場面に適応させるため、本実施例中では、前記遮蔽ハウジング３０の少なくとも１つの対向側壁に他の固定構造部品と係着し、それによってカメラモジュール２００を固定するために用いられる突起３１１を有し、このようにして、他の構造部品を使用して係着する必要がある場合、カメラモジュール２００の取り付けの需要を満たすこともできることである。
【００４０】
図１３、図１４を参照すると、本実施例において固定構造部品４０を提供し、本考案が開示した前記コネクタ１００と係着して一体となり、カメラモジュール２００を前記コネクタ１００中で固定挟持するために用いられる。以下ではさらに詳しく説明をする。
【００４１】
前述のように、前記コネクタ１００の本体１０にカメラモジュール２００を収容するために用いられる収容空間１２０が形成され、前記遮蔽ハウジング３０の２つの対向側壁にともに突起３１１が形成される。
【００４２】
図１３に示すように、この例において、該固定構造部品４０はコネクタ１００の遮蔽ハウジング３０に着脱可能に取り付けることができ、金属薄板から折り曲げ等の方式によって作られ、平板部４１及び平板部４１の対向する両側縁から同一方向に沿って垂直に延伸してなる延伸アーム４２を含む。平板部４１はカメラモジュール２００の上半分に対応する開口４１１が設けられる。各延伸アーム４２はすべて前記カメラモジュールコネクタ１００の遮蔽ハウジング３０上の突起３１１に対応する嵌合部４２１が設けられる。
【００４３】
以下に本実施例中の固定構造部品４０がカメラモジュールコネクタ１００とともにカメラモジュール２００に取り付けられる過程を略述する。
【００４４】
図１４を参考すると、組み立て時に、カメラモジュール２００はコネクタ１００の収容空間１２０内に収容され、その接触端の電気接触点（図示しない）はコネクタ１００の接触端子の対応する接点２４１と電気的に接触する。固定構造部品４０は前記コネクタ１００の上部（すなわち収容空間１２０が設けられた一端）に被覆され、嵌合部４２１によってコネクタ１００の遮蔽ハウジング３０の突起３１１と係着結合し、それによって固定構造部品４０を前記コネクタ１００に固定し、そのうち、カメラモジュール２００は開口４１１を通過して固定構造部品４０に伸出し、固定構造部品４０の平板部４１はカメラモジュール２００の上端面２０２に当接し、カメラモジュール２００底端は前記コネクタ１００の接触端子２０の接点２４１を当接押圧する。このように、カメラモジュール２００は固定構造部品４０と前記コネクタ１００の間に挟持固定され、確実な取り付けを実現する。
【００４５】
以上に記載の実施例は本考案の数種の実施方式を表したに過ぎず、その記述は具体的で詳細ではあるが、だからといって本実用新案登録請求の範囲に対する制限となると理解してはならない。指摘すべきことは、本分野の一般当業者にとっては、本考案の構想を逸脱しない限り、さらに若干の変形と改良を加えることができ、これらはすべて本考案の保護範囲に属するということである。このため、本考案の保護範囲は実用新案登録請求の範囲を基準とすべきである。
【図１】
0003174717.tif 000003
【図２】
0003174717.tif 000004
【図３】
0003174717.tif 000005
【図４】
0003174717.tif 000006
【図５】
0003174717.tif 000007
【図６】
0003174717.tif 000008
【図７】
0003174717.tif 000009
【図８】
0003174717.tif 000010
【図９】
0003174717.tif 000011
【図１０】
0003174717.tif 000012
【図１１】
0003174717.tif 000013
【図１２】
0003174717.tif 000014
【図１３】
0003174717.tif 000015
【図１４】
0003174717.tif 000016
【手続補正書】
【提出日】平成24年2月1日(2012.2.1)
【手続補正１】
【補正対象書類名】実用新案登録請求の範囲
【補正対象項目名】請求項８
【補正方法】変更
【補正の内容】
【請求項８】
請求項１に記載のカメラモジュールコネクタと、当該カメラモジュールコネクタと結合して使用する固定構造部品とからなる結合構造であって、
前記カメラモジュールコネクタの遮蔽ハウジング上の少なくとも１つの対向側辺に突起が配置され、
前記固定構造部品は中心に開口を設置した平板部と該平板部の少なくとも１つの対向する両側縁から同一方向に沿って垂直に延伸してなる延伸アームとを含み、前記延伸アーム上に前記突起に対応する嵌合口が設けられ、
カメラモジュールを前記カメラモジュールコネクタの収容空間に取り付けた後、前記固定構造部品は前記突起と前記嵌合口の嵌係によって固定され、上部からカメラモジュールを前記カメラモジュールコネクタ内で挟持することを特徴とする結合構造。
【手続補正２】
【補正対象書類名】明細書
【補正対象項目名】００１６
【補正方法】変更
【補正の内容】
【００１６】
好ましくは、上記のような構造の前記カメラモジュールコネクタと、当該カメラモジュールコネクタと結合して使用する固定構造部品とからなる結合構造であって、前記カメラモジュールコネクタの遮蔽ハウジング上の少なくとも１つの対向側辺に突起が配置され、前記固定構造部品は中心に開口を設置した平板部と該平板部の少なくとも１つの対向する両側縁から同一方向に沿って垂直に延伸してなる延伸アームとを含み、前記延伸アーム上に前記突起に対応する嵌合口が設けられ、カメラモジュールを前記カメラモジュールコネクタの収容空間に取り付けた後、前記固定構造部品は前記突起と前記嵌合口の嵌係によって固定され、上部からカメラモジュールを前記カメラモジュールコネクタ内で挟持する。